(57)【要約】【課題】専用の機器を用いることなく簡単に偽札の検出ができるようにする。【解決手段】携帯通信端末１００とサーバ３００とが通信を行って紙幣の真贋を判定するシステム構成とし、あらかじめサーバに真券の特徴情報と紙幣の特徴箇所を特定するカメラフレーム画像を記憶させ、携帯通信端末１００から紙幣の真贋判定要求を受けたときに、真贋判定要求内で指定された紙幣に対応するカメラフレーム画像を携帯通信端末１００に送信させるとともに、携帯通信端末１００に、受信したカメラフレーム画像に合わせて撮像した紙幣のデータをサーバ３００に送信させ、サーバ３００に、受信した紙幣のデータとあらかじめ記憶されてある真券の特徴情報とを照合して偽札の検出を行わせるようにしたものである。【選択図】図２
2007257491.tif 000002
【特許請求の範囲】
【請求項１】
携帯通信端末とサーバとが通信を行って紙幣の真贋を判定する偽札検出システムにおいて、
前記携帯通信端末は、
紙幣の撮像を行う撮像部と、
前記撮像部で撮像した紙幣の画像データをサーバに送信する通信部とを備え、
前記サーバは、
真券の特徴情報及びカメラフレーム画像を記憶するデータベースと、
前記携帯通信端末からの紙幣の真贋判定要求に応じて、前記紙幣の真贋判定要求内で特定された紙幣に対応するカメラフレーム画像を、前記データベースより選択するフレーム選択部と、
前記フレーム選択部で選択されたカメラフレーム画像を前記携帯通信端末に送信する送信部と、
前記送信部より送信されたカメラフレーム画像に合わせて前記携帯通信端末で撮像され、送信された紙幣の画像データを受信する受信部と、
前記受信部が受信した紙幣の画像データと前記データベースに記憶された真券の特徴情報とを照合して紙幣の真贋を判定する画像処理部とを備え、
前記画像処理部による紙幣の真贋判定結果は、前記送信部より前記携帯通信端末に送信されることを特徴とする
偽札検出システム。
【請求項２】
請求項１記載の偽札検出システムにおいて、
前記カメラフレーム画像は、紙幣を構成する様々な要素の中から、真贋判定に有効な箇所を特定するために用いられることを特徴とする
偽札検出システム。
【請求項３】
紙幣の撮像を行う撮像部と、
前記撮像部で撮影した紙幣の画像データを予め決められた特定のサーバに送信する通信部と、
前記通信部での送信に基づいて受信した紙幣の真贋の判定結果の情報により、紙幣の真贋判定結果を表示する表示部とを備える
携帯通信端末。
【請求項４】
紙幣の撮像を行う撮像部と、
前記撮像部で撮像された紙幣の画像データを画像処理して撮像した紙幣の真贋判定を行う偽札検出アプリケーションを記憶する偽札検出アプリケーション記憶部と、
前記偽札検出アプリケーション記憶部に記憶された前記偽札検出アプリケーションを実行し、前記撮像部で撮像された紙幣の真贋の判定を行う制御部と、
前記制御部による紙幣の真贋判定結果を表示する表示部とを備えることを特徴とする
携帯通信端末。
【請求項５】
請求項４記載の携帯通信端末において、
前記偽札検出アプリケーションは、予め決められた特定のサーバからダウンロードされることを特徴とする
携帯通信端末。
【発明の詳細な説明】
【技術分野】
【０００１】
本発明は、例えば、携帯電話端末などの端末装置を使用したシステムに適用して好適な偽札検出システムに関する。
【背景技術】
【０００２】
近年、特に日本国外での偽札の横行が問題となっており、旅行者が被害に遭うケースが増えている。各国紙幣においても、日本と同様、透かしやホログラムなど偽札偽造防止策が施されており実際に紙幣を使用する現地の人間でも見分けが難しい偽札が存在する一方、紙幣自体の大きさが真券とは異なっていたり、絵や文字の大きさやレイアウトが異なっていたりするような粗悪な偽札も存在することが確認されている。旅行者は、現地の紙幣の特徴をきちんと把握していることは少なく、実際に紙幣を使用しようとしたときに使用できずに、初めて手元の紙幣が偽札であることに気づかされることが多かった。このような問題を解決するため、紙幣の真贋を判別する手法が様々用いられており、複数の光や磁気センサーなどを使って、紙幣印刷に使われる磁気インクの成分などをもとに真贋を判別する手法などが知られている。
【０００３】
特許文献１には、紙幣に印刷された紫外線発光パターンに基づいて紙幣の真贋を判定することについての開示がある。
【特許文献１】特開２０００−９９７８７号公報
【発明の開示】
【発明が解決しようとする課題】
【０００４】
ところが、ユーザは偽札判別のために専用の機器を用意する必要があり、手間がかかるという問題があった。
【０００５】
本発明はかかる点に鑑みてなされたものであり、専用の機器を用いることなく簡単に偽札の検出ができるようにすることを目的とする。
【課題を解決するための手段】
【０００６】
本発明は、携帯通信端末とサーバとが通信を行って紙幣の真贋を判定するシステム構成として、あらかじめサーバに真券の特徴情報と紙幣の特徴箇所を特定するカメラフレーム画像を記憶させ、携帯通信端末から紙幣の真贋判定要求を受けたときに、真贋判定要求内で指定された紙幣に対応するカメラフレーム画像を携帯通信端末に送信させるとともに、携帯通信端末に、受信したカメラフレーム画像に合わせて撮像した紙幣のデータをサーバに送信させ、サーバに、受信した紙幣のデータとあらかじめ記憶されてある真券の特徴情報とを照合して偽札の検出を行わせるようにしたものである。
【０００７】
このようにしたことで、判定対象の紙幣の特徴を抽出するのに最適なカメラフレームが選択され、選択されたカメラフレームに合わせて撮影された画像をもとに、紙幣の真贋判定が行われるようになる。
【発明の効果】
【０００８】
本発明によると、選択されたカメラフレームに合わせて撮影された画像をもとに、紙幣の真贋判定が行われるため、撮影された紙幣の画像の大きさなどにバラつきがなくなり、より正確な判定を行うことができる。
【０００９】
この場合、偽札検出の装置として携帯通信端末を使用しているため、ユーザは携帯通信端末さえあれば偽札検出を行うことが可能となり、改めて専用の機器を購入する必要がなくなる。
【発明を実施するための最良の形態】
【００１０】
以下、本発明の一実施の形態を、添付図面を参照して説明する。
【００１１】
本例においては、携帯電話端末として構成された携帯通信端末装置を、サーバ装置にアクセスして使用するシステムとしたものである。
【００１２】
図１は、本例のシステム構成例を示している。図１の構成例では、携帯電話端末１００とサーバ３００とが通信ネットワーク４００を介してデータのやり取りを行う構成としてある。まず携帯電話端末１００の構成例から説明すると、携帯電話端末１００は、無線電話用の基地局と無線通信を行うための無線電話通信用アンテナ１０１を備え、そのアンテナ１０１が無線電話通信用の通信部１０２に接続してあり、制御部１２０の制御で、基地局との間で無線通信を行うようにしてある。通信部１０２で通話用の通信を行う際には、受信した音声データを図示しない音声データ処理部に供給して音声データの受信処理を行ってからスピーカ１０４に供給して出力させ、また、マイクロフォン１０３が拾った音声データは音声データ処理部で処理されたあと、送信用の音声データとして通信部１０２に供給して送信される。
【００１３】
この携帯電話端末１００は、操作キーなどで構成された操作部１０６と、液晶ディスプレイなどで構成された表示部１０７とを備える。操作部１０６は、電話番号やメール文などの入力操作や、各種モード設定などが行える。表示部１０７には、メール文、ウェブにアクセスさせた画面などを表示させることができるほか、後述する、サーバから受信したカメラフレームが表示される。
【００１４】
これらの携帯電話端末１００内の各ブロックは、制御ライン１５０を介して制御部１２０などと接続してあり、またデータライン１６０を介してデータ転送を行える構成としてあり、メモリ１０５に必要なデータを記憶させるようにしてある。このメモリ１０５には、携帯電話端末として必要なデータが記憶させてある他、サーバから送信されたカメラフレーム画像を記憶させるようにしてある。また、メモリ１０５とは別に、大容量のデータ記憶手段であるハードディスクドライブ装置を備えさせ、記憶手段の一部として使用されるようにしてもよい。
【００１５】
また、本例の携帯電話端末１００は、カメラ部２０１とそのカメラ部２０１での撮影を制御する撮像制御部２０２とを備え、静止画及び動画の撮影が行える構成としてある。撮影された画像データは、メモリ１０５に記憶させることができ、また通信部１０２に送って、サーバ３００等の、この携帯電話端末１００が通信を行う相手に送信することができる。
【００１６】
次に、サーバ３００の構成例について説明すると、本例のサーバ３００は、例えばインターネットにアクセス可能なコンピュータ装置を使用して構成され、受信部３０１、送信部３０２、画像処理部３０３、フレーム選択部３０４、データベース３０５を備えて、通信ネットワーク４００を経由したアクセスに基づいて、フレーム選択部３０４が、データベース３０５から適切なカメラフレーム画像を選択して読み出すとともに、携帯電話端末１００から紙幣の画像データが送られてきた場合は、画像処理部３０３が、受信した画像データとデータベース３０５に記憶された紙幣の特徴情報とを比較し、紙幣の真贋の判定を行う構成としてある。
【００１７】
データベース３０５には、各国のさまざまな種類の紙幣の特徴情報を記憶させてあるとともに、紙幣の種類別のカメラフレーム画像を記憶させるようにしてある。紙幣の特徴情報とは、紙幣の大きさや文字と人物像などの配置情報、偽札偽造防止のために紙幣に施された様々な技術の情報などをさす。偽札偽造防止のために紙幣に施された技術とは、例えば日本のお札であれば、ホログラムやすき入れバーパターン、マイクロ文字などがあり、これらの情報をデータベースに記憶させておくことにより、ユーザにより撮影された紙幣のデータとの照合を図ることが可能となる。
【００１８】
次に、本例の偽札検出処理の例について図２のシーケンス図を参照して説明する。まず、偽札か否かを判断したい紙幣がある場合に、ユーザは携帯電話端末１００よりサーバ３００に対し、偽札検出サービスの開始要求を行う（ステップＳ１）。このとき、携帯電話端末１００の通信部１０２から、紙幣の真贋判定を要求する情報がサーバ３００に送信される。この要求情報をサーバ３００が受信部３０１で受信すると、サーバ３００は携帯電話端末１００へサービス提供開始の通知を行う（ステップＳ２）。このとき、サーバ３００の送信部３０２から携帯電話端末１００の通信部１０２へサービス提供開始を示す通知情報が送信される。次にユーザは、操作部１０６へ所定の操作を行い、カメラ部２０１で判定対象の紙幣の全体像を撮影して（ステップＳ３）、撮影した紙幣の画像を、通信部１０２を介してサーバに送信する（ステップＳ４）。サーバ３００は、受信部３０１で受信した紙幣の画像を画像処理部３０３で画像処理することにより紙幣の種類を判別し（ステップＳ５）、判別された紙幣に対応するカメラフレーム画像を、フレーム選択部３０４がデータベース３０５より抽出し、抽出したカメラフレームを、送信部３０２を介して携帯電話端末１００へ送信する（ステップＳ６）。
【００１９】
このとき送信されるカメラフレーム画像とは、例えば図２のステップＳ６の下に表示例を示すようなものであり、紙幣の特徴的な箇所を特定するためのものである。本例では、日本円の千円のホログラム部分を特定するカメラフレームを例として挙げてある。また、偽札検出を行うにあたって１枚の紙幣から複数個所のデータを採取する必要がある場合は、１枚の紙幣に対して複数のカメラフレームを用意してもよい。
【００２０】
また、本例ではステップＳ３、Ｓ４にてユーザに紙幣の全体像を撮影させ、サーバ３００に送信させるようにしているが、この場合の紙幣の全体像は、サーバ３００にて紙幣の種類を判別するための情報として使用されるものであり、サーバ３００にて紙幣の種類を判別できる情報であれば必ずしも紙幣の全体像でなくてもよい。例えば、サーバ３００にて紙幣の一覧を表示させ、ユーザに携帯電話端末１００より対象の紙幣を選択させるようにしてもよい。
【００２１】
また、例えばＶＧＡ（Video Graphics Array）サイズなどの高解像度での撮影や、近距離での撮影が可能なマクロモードでの撮影を行えば、撮像される画像の画質が良くなり、より精度の高い真贋判定を行うことが可能となる。このため、ユーザが撮像する際に、ＶＧＡモードやマクロモードでの撮影を促すメッセージや音声を出力させるようにしてもよい。もしくは、ＶＧＡモードやマクロモードでの撮影を、偽札検出サービスを受ける上での必須条件として設定する場合には、これらのモードに非対応である携帯電話端末からのサービス提供要求を受信したときに、偽札検出サービス適応外のメッセージや音声を出力させるようにしてもよい。
【００２２】
次にユーザは、ステップＳ６でサーバ３００の送信部３０２から送信されたカメラフレーム画像を受信すると、受信したカメラフレームを用いてカメラ部２０１で紙幣の特徴部分を撮影し（ステップＳ７）、撮影した紙幣の特徴部分を紙幣の画像データとして、通信部２０１を介してサーバ３００に送信する（ステップＳ８）。ここでいう紙幣の特徴部分とは、紙幣に施された偽札偽造防止策など、紙幣の真贋判定の基準となる部分を指し、日本のお札であればホログラムやすき入れバーパターン、マイクロ文字が施された部分などが該当する。サーバ３００では、受信部３０１で紙幣の特徴部分の画像データが受信され、判定対象の紙幣が偽札であるか否かの判定が、画像処理部３０３にて行われる。（ステップＳ９）。判定対象の紙幣の真贋判定結果は、送信部３０２を介して携帯電話端末１００に送信される（ステップＳ１０）。
【００２３】
このように構成することにより、紙幣の真贋の判定基準として用いられる紙幣の特徴情報がカメラフレームにより特定されるため、撮像される画像の大きさにバラつきがなくなり、より精度の高い偽札検出を行うことが可能となる。
【００２４】
また、身近なツールである携帯電話端末を使用して偽札検出を行うことができるため、新たに偽札検出専用の装置を購入する必要がなくなる。
【００２５】
なお、ここまで説明した実施の形態では、偽札検出に必要なデータベースや偽札検出のアルゴリズムをすべてサーバ側に実装させる構成としたが、ユーザからの偽札検出サービス提供要求を受け付けたタイミングで、対応する紙幣のカメラフレーム画像と偽札検出のアルゴリズムをサーバ３００から携帯電話端末１００に送信させるようにしてもよい。この場合の処理例を図３のシーケンス図を参照して説明する。ユーザは、偽札検出を行いたいときに携帯電話端末１００よりサーバ３００にアクセスし、偽札検出サービスの開始要求を行う（ステップＳ１１）。この要求をサーバ３００が受け付けると、サーバ３００は携帯電話端末１００へサービス提供開始の通知を行う（ステップＳ１２）。次にユーザは、対象の紙幣の全体像を撮影しサーバに送信する等の手法で紙幣の種類を指定し（ステップＳ１３）、サーバ３００は、受信した紙幣の種類情報をもとに、対応するカメラフレーム画像及び画像処理アルゴリズムを抽出し（ステップＳ１４）、携帯電話端末１００に送信する（ステップＳ１５）。ユーザは受信したカメラフレームを使用して対象の紙幣の撮影を行い（ステップＳ１６）、画像処理アルゴリズムにて判定された偽札検出の結果を確認する（ステップＳ１７）。
【００２６】
このように構成すれば、携帯電話端末１００とサーバ３００との通信の回数が少なくなり、ユーザは通信費用をあまりかけずに手軽に偽札検出のサービスを受けることが可能となる。ただし、携帯電話端末１００が保持するメモリ１０５の容量が小さい場合などは、サーバ３００に偽札検出機能をすべて記憶させる形態を採るほうが好ましい。
【００２７】
また、上述した実施の形態では、偽札検出に必要なデータベースや偽札検出のアルゴリズムのすべて、もしくは一部をサーバ側に実装させる構成としたが、サーバが実装する偽札検出の機能をアプリケーション化し、ユーザが携帯通信端末にダウンロードして使えるようにしてもよい。このときの処理の例について、図４のシーケンス図を参照して説明する。まず、ユーザは携帯電話端末１００の操作部１０６へ所定の操作を行う。この操作により、希望の紙幣に対応したアプリケーションのダウンロードを要求する情報が、通信部１０２からサーバ３００へ送信される（ステップＳ２１）。このときの「希望の紙幣」とは、例えば「日本円」や「人民元」など、１つの国で使用されている紙幣を単位として指定してもよく、日本円であれば五千円や一万円など、偽札検出を行いたい対象の紙幣を数種類指定してもよい。
【００２８】
サーバ３００は、ステップＳ２１で携帯電話端末１００の通信部１０２から送信された要求情報を受信部３０１で受信すると、受信した要求情報の内で特定された紙幣に対応するアプリケーションを、データベース３０５より抽出し、送信部３０２から携帯電話端末１００に送信する（ステップＳ２２）。ユーザは、サーバ３００の送信部３０２から送信されたアプリケーションを受信すると、操作部１０６へ所定の操作を行い、受信したアプリケーションをメモリ１０５に保存する。ユーザは、実際に偽札検出を行いたいタイミングで、操作部１０６へ所定の操作を行うなどして、メモリ１０５に保存された偽札検出用のアプリケーションを起動すればよい。偽札検出を行う際には、携帯電話端末１００のメモリ１０５に保存されたアプリケーションを実行し、携帯電話端末１００にて、制御部１２０による制御に基づき、偽札検出を行いたい紙幣用のカメラフレームの選択、紙幣の特徴部分の撮影、画像処理による紙幣の真贋判定、偽札検出結果の表示及び確認を行うことができる（ステップＳ２３）。
【００２９】
このように構成することで、ネットワークインフラの整備されていない環境で偽札の検出を行いたい場合などでも、携帯通信端末単独で偽札検出が行えるようになる。
【００３０】
なお、上述した実施の形態では、携帯電話端末に適用した例としたが、撮像機能を備える携帯通信端末であれば、他の機器にも適用可能である。
【図面の簡単な説明】
【００３１】
【図１】本発明の一実施の形態による端末構成例を示すブロック図である。
【図２】本発明の一実施の形態による偽札検出処理例を示したシーケンシャル図である。
【図３】本発明の実施の形態の変形例による偽札検出処理例を示したシーケンシャル図である。
【図４】本発明の実施の形態の変形例による偽札検出処理例を示したシーケンシャル図である。
【符号の説明】
【００３２】
１００…携帯電話端末、１０１…アンテナ、１０２…通信部、１０３…マイクロフォン、１０４…スピーカ、１０５…メモリ、１０６…操作部、１０７…表示部、１２０…制御部、１５０…制御ライン、１６０…データライン、２０１…カメラ部、２０２…撮像制御部、３００…サーバ、３０１…受信部、３０２…送信部、３０３…画像処理部、３０４…フレーム選択部、３０５…データベース
【図１】
2007257491.tif 000003
【図２】
2007257491.tif 000004
【図３】
2007257491.tif 000005
【図４】
2007257491.tif 000006